(57)【要約】 【課題】ケーブルを支持することができかつケーブルの損傷を抑制可能なケーブル支持具を提供する。【解決手段】本実施形態によるケーブル支持具は、重力方向に布設されるケーブルを支持する。第１支持部材は、第１面と、第２面と、第１面と第２面との間にある第１側面と、第１面と第２面との間を貫通する第１穴と、第１側面に第１穴まで達するように設けられたスリットとを有する。第１支持部材は、第１穴にケーブルを通過させる。第２支持部材は、第３面と、第４面と、第３面と第４面との間を貫通する第２穴とを有し、第１支持部材を第３面側から第２穴内へ挿入可能である。第１穴の径は、スリットを開いたときにケーブルの径よりも大きくなり、スリットを閉じたときにケーブルの径よりも小さくなる。第２穴の第３面における開口径は、第１支持部材の第２面における外径よりも大きい。第２穴の第４面における開口径は、第１支持部材の第１面における外径よりも小さい。【選択図】図２
2018007369.tif 000002
【特許請求の範囲】
【請求項１】
重力方向に布設されるケーブルを支持するケーブル支持具であって、
第１面と、第２面と、前記第１面と前記第２面との間にある第１側面と、前記第１面と前記第２面との間を貫通する第１穴と、前記第１側面に前記第１穴まで達するように設けられたスリットとを有し、前記第１穴に前記ケーブルを通過させることができる第１支持部材と、
第３面と、第４面と、前記第３面と前記第４面との間を貫通する第２穴とを有し、前記第１支持部材を前記第３面側から前記第２穴内へ挿入可能な第２支持部材とを備え、
前記第１穴の径は、前記スリットを開いたときに前記ケーブルの径よりも大きくなり、前記スリットを閉じたときに前記ケーブルの径よりも小さくなり、
前記第２穴の前記第３面における開口径は、前記第１支持部材の前記第２面における外径よりも大きく、
前記第２穴の前記第４面における開口径は、前記第１支持部材の前記第１面における外径よりも小さい、ケーブル支持具。
【請求項２】
前記ケーブルを前記第１穴に挿入した状態で前記第１支持部材を前記第２穴へ押し込むことによって前記第１支持部材が前記ケーブルの側面を押圧し、前記ケーブルを前記第１および第２支持部材に対して固定する、請求項１に記載のケーブル支持具。
【請求項３】
前記ケーブルの自重によって前記第１支持部材が前記第３面から前記第４面へ向かって前記第２穴へ押し込まれ、
前記第１支持部材が前記第２穴へ押し込まれることによって前記スリットが狭められ、
前記スリットが狭められることによって前記第１支持部材が前記ケーブルを略水平方向から押圧する、請求項１または請求項２に記載のケーブル支持具。
【請求項４】
前記第１支持部材において、前記第１面における外径は、前記第２面における外径よりも大きく、
前記第１および第２面に対して垂直方向の断面において、前記第１支持部材の前記第１側面は、前記垂直方向に対して傾斜している、請求項１から請求項３のいずれか一項に記載のケーブル支持具。
【請求項５】
前記第２支持部材において、前記第２穴の前記第３面における開口径は前記第２穴の前記第４面における開口径よりも大きく、
前記第３および第４面に対して垂直方向の断面において、前記第２穴の内側面は、前記垂直方向に対して傾斜している、請求項１から請求項４のいずれか一項に記載のケーブル支持具。
【請求項６】
前記第１および第２面に対する前記第１側面の傾斜角度は、前記第３および第４面に対する前記第２穴の前記内側面の傾斜角度とほぼ等しい、請求項５に記載のケーブル支持具。
【請求項７】
前記スリットは、前記ケーブルの径よりも大きく開くことができる、請求項１から請求項６のいずれか一項に記載のケーブル支持具。
【請求項８】
略鉛直方向に設定された係止面と前記第２支持部材を係止可能な係止穴とを有する係止部材をさらに備え、
前記第２支持部材は、前記係止穴に係止可能な係止部を有する、請求項１から請求項７のいずれか一項に記載のケーブル支持具。
【請求項９】
重力方向に布設されるケーブルを支持するケーブル支持具であって、
第１面と、第２面と、前記第１面と前記第２面との間にある第１側面と、前記第１面と前記第２面との間を貫通する第１穴と、前記第１側面に前記第１穴まで達するように設けられたスリットとを有し、前記第１穴に前記ケーブルを通過させることができる第１支持部材と、
第３面と、第４面と、前記第３面と前記第４面との間を貫通する第２穴とを有する第２支持部材と、
第５面と、第６面と、前記第５面と前記第６面との間にある第２側面と、前記第５面と前記第６面との間を貫通する第３穴とを有し、前記第１支持部材を前記第５面側から前記第３穴内へ挿入可能な第３支持部材とを備え、
前記第１穴の径は、前記スリットを開いたときに前記ケーブルの径よりも大きくなり、前記スリットを閉じたときに前記ケーブルの径よりも小さくなり、
前記２支持部材の前記第３面における前記第２穴の開口径は、前記３支持部材の前記第６面における外径よりも大きく、
前記２支持部材の前記第４面における前記第２穴の開口径は、前記３支持部材の前記第５面における外径よりも小さく、
前記第５面における前記第３穴の開口径は、前記第１支持部材の前記第２面における外径よりも大きく、
前記第６面における前記第３穴の開口径は、前記第１支持部材の前記第１面における外径よりも小さい、ケーブル支持具。
【発明の詳細な説明】
【技術分野】
【０００１】
本発明による実施形態は、ケーブル支持具に関する。
【背景技術】
【０００２】
上水道処理場または下水道処理場等の施設の電気室には、施設を制御するために多数のケーブルが布設されている。ケーブルは、床面に水平方向に布設されるだけでなく、施設の構造によっては壁面に垂直方向に布設される場合もある。ケーブルを鉛直方向（重力方向）に布設する場合、結束バンド等の支持具を用いて壁面等にケーブルを固定し支持していた。
【０００３】
しかし、結束バンド等の支持具は、経年劣化によってケーブルの荷重に耐えきれなくなり、緩んだり、切断したりする。この場合、ケーブルの荷重がケーブルの一部に局所的に印加され、ケーブルの端子が外れたり、あるいは、ケーブル自体が損傷するおそれがある。このようなケーブルの不具合は、施設の制御を不能にし、その結果、大きな事故に繋がるおそれがある。
【先行技術文献】
【特許文献】
【０００４】
【特許文献１】特開２００３−０５２１１５号公報
【発明の概要】
【発明が解決しようとする課題】
【０００５】
ケーブルを支持することができ、かつ、ケーブルの損傷を抑制することができるケーブル支持具を提供する。
【課題を解決するための手段】
【０００６】
本実施形態によるケーブル支持具は、重力方向に布設されるケーブルを支持する。第１支持部材は、第１面と、第２面と、第１面と第２面との間にある第１側面と、第１面と第２面との間を貫通する第１穴と、第１側面に第１穴まで達するように設けられたスリットとを有する。第１支持部材は、第１穴にケーブルを通過させることができる。第２支持部材は、第３面と、第４面と、第３面と第４面との間を貫通する第２穴とを有し、第１支持部材を第３面側から第２穴内へ挿入可能である。第１穴の径は、スリットを開いたときにケーブルの径よりも大きくなり、スリットを閉じたときにケーブルの径よりも小さくなる。第２穴の第３面における開口径は、第１支持部材の第２面における外径よりも大きい。第２穴の第４面における開口径は、第１支持部材の第１面における外径よりも小さい。
【図面の簡単な説明】
【０００７】
【図１】第１実施形態に従ったケーブル支持具およびその周辺を示す斜視図。
【図２】第１実施形態に従ったケーブル支持具の構成の一例を示す斜視図。
【図３】固定具２０の構成の一例を示す斜視図。
【図４】支持板３０の構成の一例を示す斜視図。
【図５】図２の５−５線に沿った断面図。
【図６】第１実施形態の変形例１によるケーブル支持具の構成の一例を示す断面図。
【図７】第１実施形態の変形例２による支持板の構成の一例を示す平面図。
【図８（Ａ）】第２実施形態による支持板３０の構成の一例を示す平面図。
【図８（Ｂ）】第２実施形態による補助具４０の構成の一例を示す斜視図。
【図９】第３実施形態によるケーブル支持具の構成の一例を示す側面図。
【図１０】第３実施形態によるケーブル支持具の構成の一例を示す正面図。
【発明を実施するための形態】
【０００８】
以下、図面を参照して本発明に係る実施形態を説明する。本実施形態は、本発明を限定するものではない。
【０００９】
（第１実施形態）
図１は、第１実施形態に従ったケーブル支持具およびその周辺を示す斜視図である。ケーブル支持具１０は、例えば、上水道処理場または下水道処理場等の施設においてケーブルダクト１内に用いられ得る。勿論、ケーブル支持具１０は、ケーブル２を布設する任意の施設に適用してよい。
【００１０】
ケーブルダクト１は、施設の床面Ｆ１や壁面Ｆ２に沿って設置された中空の管であり、例えば、金属等を用いて形成されている。ケーブルダクト１は、その内部にケーブル２を配線し、ケーブル２を保護するために設けられている。
【００１１】
ケーブル２は、施設の電気室に電力や信号を伝送する送電線または通信線であり、導線と該導線を被覆する絶縁保護膜とで形成されている。導線には、例えば、銅等の低抵抗金属を用いている。絶縁保護膜には、例えば、樹脂等の可撓性のある絶縁材料を用いている。ケーブル２は、ケーブルダクト１内に布設されており、必要に応じて細いものから太いものまで様々な太さのケーブルを含む。図１では、１本のケーブル２のみが図示されているが、施設によっては多数のケーブル２が布設される場合もある。
【００１２】
ケーブル２は、床面Ｆ１に略水平方向Ｄ１に布設されるだけでなく、壁面Ｆ２に略鉛直方向（重力方向）Ｄ２にも布設される場合がある。例えば、上階から下階へケーブル２を布設する場合には、ケーブル２はＤ２方向に布設される。ケーブル２が床面Ｆ１上に略水平に布設されている場合、ケーブル２の荷重は床面Ｆ１に掛かる。一方、ケーブル２が壁面Ｆ２に沿ってＤ２方向に布設されている場合、ケーブル２の荷重は壁面Ｆ２にほとんど掛からず、壁面Ｆ２よりも上流側にあるケーブル２等に掛かる。従って、本実施形態では、ケーブル２の損傷を抑制しつつ、ケーブル２の荷重を受けるために、ケーブル支持具１０がケーブルダクト１内に設けられている。尚、ここで、略鉛直方向（Ｄ２方向）は、鉛直方向および鉛直方向から或る程度傾斜する方向も含むものとする。
【００１３】
ケーブル支持具１０は、ケーブルダクト１内の壁面Ｆ２の上部に固定されており、ケーブルダクト１内においてＤ２方向に布設されたケーブル２を支持（固定）している。ケーブル２の自重によってＤ２方向への荷重がケーブル支持具１０に印加される。ケーブル支持具１０は、ケーブル２の荷重をＤ２方向へ受けることによって、ケーブル２をより強固に保持するように構成されている。以下、ケーブル支持具１０をより詳細に説明する。
【００１４】
図２は、第１実施形態に従ったケーブル支持具の構成の一例を示す斜視図である。ケーブル支持具１０は、固定具２０と、支持板３０とを備えている。固定具２０は、ケーブル２を通過させる第１穴２１を有する。固定具２０は、ケーブル２を第１穴２１に通過させた状態で支持板３０の第２穴３１に挿入される。固定具２０が第２穴３１にＤ２方向へ押し込まれると、固定具２０は、ケーブル２の側面を押圧し、ケーブル２を締め付ける。これにより、ケーブル２と固定具２０との間の摩擦力が増大し、ケーブル２はケーブル支持具１０に対して固定される。尚、図２では、ケーブル支持具１０が１本のケーブル２のみを支持している様子を示している。しかし、ケーブル支持具１０は、複数のケーブル２を支持してもよい。この場合、複数の固定具２０の第１穴２１にそれぞれケーブル２を通過させた状態で、該複数の固定具２０をそれぞれ支持板３０の第２穴３１に挿入すればよい。
【００１５】
図３は、固定具２０の構成の一例を示す斜視図である。第１支持部材としての固定具２０は、上面（第１面）Ｆ２１と、底面（第２面）Ｆ２２と、側面（第１側面）Ｆ２３とを備えている。側面Ｆ２３は、上面Ｆ２１と底面Ｆ２２との間にある面である。
【００１６】
固定具２０は、上面Ｆ２１と底面Ｆ２２との間を貫通する第１穴２１を有し、該第１穴２１にケーブル２を通過させることができる。第１穴２１は、上面Ｆ２１および底面Ｆ２２のほぼ中心を貫通するように設けられている。固定具２０がケーブル２の側面を略均等に押圧するために、Ｄ２方向に対する垂直断面において、第１穴２１の形状は、ケーブル２の形状と略相似形であることが好ましい。例えば、第１穴２１の形状は、Ｄ２方向に対する垂直断面において略円形を有する。第１穴２１は、ケーブル２を通過させ支持するために、上面Ｆ２１から底面Ｆ２２に亘って略同一径を有する。
【００１７】
また、固定具２０は、側面Ｆ２３から第１穴２１まで達するスリット２５を有する。スリット２５は、上面Ｆ２１から底面Ｆ２２に亘ってＤ２方向に延伸するように設けられている。スリット２５の幅を広げることによって第１穴２１の径を大きくし、逆に、スリット２５の幅を狭めることによって第１穴２１の径を小さくすることができる。第１穴２１の径は、スリット２５を開いたときにケーブル２の径よりも大きくなり、スリット２５を閉じたときにケーブル２の径よりも小さくなる。第１穴２１の径をケーブル２の径よりも大きくすることによって、固定具２０をケーブル２に対してＤ２方向に容易に通過させ移動させることができる。
【００１８】
ケーブル２は、その一端から固定具２０の第１穴２１へ挿入してもよいが、スリット２５をケーブル２の径よりも大きく開くことができれば、該ケーブル２の途中の側面からスリット２５を介して第１穴２１へ導入してもよい。即ち、固定具２０をケーブル２の途中に取り付けることができるようにしてもよい。
【００１９】
一方、ケーブル２を第１穴２１に通過させた状態で固定具２０を支持板３０の第２穴３１に挿入し、押し込むと、スリット２５はケーブル２の径よりも狭くなろうとする。これにより、固定具２０はケーブル２の側面を押圧し、ケーブル２を固定具２０および支持板３０に対して固定する。
【００２０】
このように、スリット２５は、固定具２０をケーブル２に対して容易に移動可能とするとともに、固定具２０が支持板３０の第２穴３１に押し込まれたときには、ケーブル２をケーブル支持具１０に対して固定することを可能にする。さらに、スリット２５は、ケーブル２の径よりも大きく押し広げることによって、ケーブル２の途中において、ケーブル２を固定具２０の側面Ｆ２３から第１穴２１へ導入することも可能とする。
【００２１】
スリット２５の幅を広げあるいは狭めるために、固定具２０には、例えば、樹脂等の可撓性のある材料を用いている。また、固定具２０は、ケーブル２を固定可能にするために、ケーブル２に対して充分に大きな摩擦力が得られる材料であることが好ましい。
【００２２】
さらに、固定具２０の上面Ｆ２１および底面Ｆ２２の外形は、Ｄ２方向から見たときに、例えば、略円形を有しており、互いに同心円となっている。上面Ｆ２１における固定具２０の外径Φ２１は、底面Ｆ２２における固定具２０の外径Φ２２よりも大きい。これにより、側面Ｆ２３は、上面Ｆ２１および底面Ｆ２２にする垂直断面において、上面Ｆ２１および底面Ｆ２２に対してあるいはＤ２方向（Ｆ２１およびＦ２２に対する垂直方向）に対して傾斜している。即ち、固定具２０は、上面Ｆ２１から底面Ｆ２２へ向かって次第に細くなるように側面Ｆ２３に傾斜（テーパー）を有する。さらに換言すると、固定具２０は、くさび形に形成されていると言ってもよい。
【００２３】
図４は、支持板３０の構成の一例を示す斜視図である。第２支持部材としての支持板３０は、上面（第３面）Ｆ３１と、底面（第４面）Ｆ３２と、側面Ｆ３３とを備えている。側面Ｆ３３は、上面Ｆ２１と底面Ｆ２２との間にある面である。
【００２４】
支持板３０は、上面Ｆ３１と底面Ｆ３２との間を貫通する複数の第２穴３１を有し、固定具２０を上面Ｆ３１側から第２穴３１内へ挿入可能なように構成されている。支持板３０が固定具２０の側面を略均等に押圧するために、Ｄ２方向に対する垂直断面において、第２穴３１の形状は、固定具２０の外形と略相似形であることが好ましい。例えば、第２穴３１の形状は、Ｄ２方向に対する垂直断面において略円形を有する。支持板３０に設ける第２穴３１の個数は、特に限定しない。
【００２５】
上面Ｆ３１における第２穴３１の開口および底面Ｆ３２における第２穴３１の開口は、例えば、略円形を有しており、Ｄ２方向から見たときに、互いに同心円となっている。上面Ｆ３１における第２穴３１の開口径Φ３１は、底面Ｆ３２における第２穴３１の開口径Φ３２よりも大きい。これにより、第２穴３１の内側面Ｆ３４は、上面Ｆ３１および底面Ｆ３２に対する垂直断面において、上面Ｆ３１および底面Ｆ３２に対してあるいはＤ２方向（Ｆ３１およびＦ３２に対する垂直方向）に対して傾斜している。即ち、支持板３０の第２穴３１は、上面Ｆ３１から底面Ｆ３２へ向かって次第に細くなるように内側面Ｆ３４に傾斜（テーパー）を有する。さらに換言すると、第２穴３１は、固定具２０の外形と同様に、くさび形に形成されている。
【００２６】
さらに、上面Ｆ３１における第２穴３１の開口径Φ３１は、固定具２０の底面Ｆ２２の外径Φ２２よりも大きい。従って、固定具２０の底面Ｆ２２を支持板３０の上面Ｆ３１側から第２穴３１へ挿入することができる。一方、底面Ｆ３２における第２穴３１の開口径Φ３２は、固定具２０の上面Ｆ２１の外径Φ２１よりも小さい。これにより、固定具２０を第２穴３１へ挿入後さらに押し込んでも、固定具２０は、支持板３０の第２穴３１からＤ２方向に脱落することなく、支持板３０の第２穴３１の内側面Ｆ３４から押圧される。これにより、固定具２０のスリット２５が狭まり、固定具２０はケーブル２を締め付ける。固定具２０が第２穴３１へ押し込まれるほど、固定具２０はケーブル２をより強固に押圧し、ケーブル２の支持力を増大させる。このように、支持板３０と固定具２０とが協働してケーブル２を支持する。
【００２７】
尚、支持板３０における上面Ｆ３１または底面Ｆ３２に対する内側面Ｆ３４の傾斜角度は、固定具２０における上面Ｆ２１または底面Ｆ２２に対する側面Ｆ２３の傾斜角度とほぼ等しくてよい。これにより、支持板３０の第２穴３１の内側面Ｆ３４は、固定具２０を第２穴３１へ挿入したときに、固定具２０の側面Ｆ２３を略均等に押圧することができる。この場合、固定具２０はケーブル２を比較的広い面積で押圧することができ、ケーブル２の損傷の抑制に繋がる。
【００２８】
さらに、支持板３０が固定具２０の側面Ｆ２３を略均等に押圧するために、Ｄ２方向に対する垂直断面において、第２穴３１の形状は、固定具２０の形状と略相似形であることが好ましい。
【００２９】
図５は、図２の５−５線に沿った断面図である。ケーブル２の自重によってＤ２方向への荷重が掛かると、固定具２０が支持板３０の上面Ｆ３１から底面Ｆ３２へ向かって第２穴３１へ押し込まれる。固定具２０が支持板３０の第２穴３１へ押し込まれることによって、支持板３０が第２穴３１の内側面Ｆ３４において固定具２０の側面Ｆ２３を矢印Ａ１の方向に押圧し、図３に示す固定具２０のスリット２５が狭められる。スリット２５が狭められることによって、固定具２０がケーブル２を矢印Ａ２の方向（略水平方向）から押圧して締め付け、ケーブル２をケーブル支持具１０に対して固定する。
【００３０】
以上のように、本実施形態によるケーブル支持具１０は、固定具２０を支持板３０の第２穴３１へ押し込むことによって、支持板３０の第２穴３１の内側面Ｆ３４が固定具２０の側面Ｆ２３を押圧する。固定具２０の側面Ｆ２３を押圧すると、固定具２０のスリット２５が狭められる。そして、固定具２０が第１穴２１の内側面でケーブル２を押圧してケーブル２をケーブル支持具１０に対して固定することができる。ここで、固定具２０の外形および支持板３０の第２穴３１は、くさび形を有する。従って、固定具２０が第２穴３１へ押し込まれるほど、固定具２０はケーブル２の支持力を増大させる。従って、ケーブル２の自重でＤ２方向（鉛直方向）へ荷重が掛かると、固定具２０は第２穴３１へ益々押し込まれ、ケーブル２の支持力をさらに増大させる。このように、ケーブル支持具１０は、ケーブル２の自重によってケーブル２を強固に支持することができる。
【００３１】
固定具２０は、第１穴２１の内側面全体でケーブル２の側面を押圧するので、ケーブル２の側面を比較的大きな面積で支持する。例えば、上面Ｆ２１および底面Ｆ２２の間の固定具２０の厚みを、従来の結束バンドの幅（厚み）よりも充分に厚くすることによって、固定具２０はケーブル２を結束バンドよりも大きな面積で支持する。これにより、ケーブル２が損傷し難くなる。また、固定具２０の側面Ｆ２３の傾斜角を支持板３０の内側面Ｆ３４の傾斜角とほぼ等しくすることによって、支持板３０の第２穴３１の内側面Ｆ３４が固定具２０の側面Ｆ２３を略均等に押圧する。これにより、固定具２０からの押圧力がケーブル２に略均等に印加され（分散され）、ケーブル２はさらに損傷し難くなる。
【００３２】
本実施形態において、支持板３０は、図４に示すように、複数の第２穴３１を有する。よって、ケーブル支持具１０は、複数のケーブル２を支持してもよい。この場合、複数のケーブル２をそれぞれ固定具２０の第１穴２１に挿入した状態で該複数の固定具２０をそれぞれ第２穴３１へ押し込む。これにより、複数の固定具２０がそれぞれケーブル２の側面を押圧し、複数のケーブル２をケーブル支持具１０に対して固定することができる。
【００３３】
さらに、図１では、ケーブル支持具１０は、壁面Ｆ２の上端のケーブルダクト１内に配置されている。しかし、ケーブル支持具１０は、壁面Ｆ２の上端と下端との間の中間部に配置されていてもよい。さらに、複数のケーブル支持具１０が、例えば、壁面Ｆ２の上端および中間部の両方に配置されていてもよい。ケーブル支持具１０の設置個数は特に限定しない。ケーブル２自体の重さや壁面Ｆ２の高さ等に応じて、ケーブル支持具１０の設置個数を変更してよい。
【００３４】
（変形例１）
図６は、第１実施形態の変形例１によるケーブル支持具の構成の一例を示す断面図である。変形例１によるケーブル支持具１０は、支持板３０の第２穴３１の内側面Ｆ３４に突出部３５を有している。変形例１のその他の構成は、第１実施形態のケーブル支持具１０の構成と同様でよい。
【００３５】
変形例１によれば、突出部３５が固定具２０の側面Ｆ２３に接触し、側面Ｆ２３を押圧する。このような構成であっても、第１実施形態の効果は失われない。
【００３６】
（変形例２）
図７（Ａ）〜図７（Ｃ）は、それぞれ第１実施形態の変形例２による支持板の構成の一例を示す平面図である。図７（Ａ）に示すように、支持板３０において第２穴３１の径は、互いに相違させてもよい。例えば、ケーブル２の径（太さ）や固定具２０の径（太さ）に応じて、作業者が適切な第２穴３１を選択することができる。また、支持板３０の第２穴３１の配置は任意でよい。例えば、多数のケーブル２を支持可能とするために、図７（Ｂ）に示すように第２穴３１を半ピッチずつずらして配置してもよい。
【００３７】
さらに、図７（Ｃ）に示すように、支持板３０は、第２穴３１の一部３１ａを含む第１部分３０ａと、第２穴３１の他部３１ｂを含む第２部分３０ｂとに分割されていてもよい。第１部分３０ａおよび第２部分３０ｂは、結合部３６を有し、第１部分３０ａと第２部分３０ｂとを強固に結合する。結合部３６は、例えば、雌雄結合する部材であってもよく、ネジ留め部材であってもよい。第１部分３０ａおよび第２部分３０ｂを結合することによって、支持板３０が形成される。それとともに、第２穴３１の一部３１ａと他部３１ｂとが連結されるので、第２穴３１の全体が形成される。
【００３８】
図７（Ｃ）に示す支持板３０では、第１部分３０ａ（第２穴３１の一部３１ａ）と第２部分３０ｂ（第２穴３１の他部３１ｂ）との間にケーブル２を配置した状態で、ケーブル２を挟むように第１部分３０ａと第２部分３０ｂとを結合する。これにより、布設済みのケーブル２を第２穴３１に導入することができる。即ち、図７（Ｃ）に示す支持板３０は、布設済みのケーブル２であっても、ケーブル２の途中に支持板３０を取り付け、第２穴３１へケーブル２を導入することができる。
【００３９】
（第２実施形態）
図８（Ａ）は、第２実施形態による支持板３０の構成の一例を示す平面図である。図８（Ｂ）は、第２実施形態による補助具４０の構成の一例を示す斜視図である。尚、第２実施形態の固定具２０の構成は、第１実施形態のそれと同様でよい。第２実施形態では、補助具４０を支持板３０の第２穴３１へ挿入し、さらに、固定具２０を補助具４０の第３穴４１へ挿入する。即ち、第３支持部材としての補助具４０は、支持板３０の第２穴３１と固定具２０との間に挿入され、支持板３０と固定具２０との間のスペースを調節するスペーサとして機能する。
【００４０】
図８（Ａ）に示すように、第２実施形態による支持板３０は、上面Ｆ３１側において、第２穴３１の近傍に補助穴３８を有する。補助穴３８は第２穴３１の周囲に複数設けられていてもよい。補助穴３８は、図８（Ｂ）に示す補助具４０の係止部４５を受容する穴であり、補助具４０が第２穴３１から脱落することを抑制するために設けられている。係止部４５は、補助穴３８のいずれかに差し込めばよい。
【００４１】
図８（Ｂ）に示すように、補助具４０は、上面（第５面）Ｆ４１と、底面（第６面）Ｆ４２と、側面（第２側面）Ｆ４３と、係止部４５とを備えている。側面Ｆ４３は、上面Ｆ４１と底面Ｆ４２との間にある面である。補助具４０には、例えば、金属を用いている。
【００４２】
係止部４５は、補助具４０を支持板３０の第２穴３１へ挿入したときに、第２穴３１の近傍にある補助穴３８に差し込まれる。これにより、固定具２０を第３穴４１に押し込んでも、補助具４０が、第２穴３１から脱落すること無く、第２穴３１内に留まることができる。
【００４３】
補助具４０は、上面Ｆ４１と底面Ｆ４２との間を貫通する第３穴４１を有し、固定具２０を上面Ｆ４１側から第３穴４１内へ挿入することができる。第３穴４１は、上面Ｆ４１および底面Ｆ４２のほぼ中心を貫通するように設けられている。第３穴４１は、Ｄ２方向に対する垂直断面において、固定具２０の外形と略相似形であることが好ましい。例えば、第３穴４１の形状は、Ｄ２方向に対する垂直断面において略円形を有する。
【００４４】
上面Ｆ４１における第３穴４１の開口および底面Ｆ４２における第３穴４１の開口は、例えば、略円形を有しており、Ｄ２方向から見たときに、互いに同心円となっている。上面Ｆ４１における第３穴４１の開口径Φ４１は、底面Ｆ４２における第３穴４１の開口径Φ４２よりも大きい。これにより、第３穴４１の内側面Ｆ４４は、上面Ｆ４１および底面Ｆ４２に対する垂直断面において、上面Ｆ４１および底面Ｆ４２に対してあるいはＤ２方向（Ｆ４１およびＦ４２に対する垂直方向）に対して傾斜している。即ち、補助具４０の第３穴４１は、上面Ｆ４１から底面Ｆ４２へ向かって次第に細くなるように内側面Ｆ４４に傾斜（テーパー）を有する。さらに換言すると、第３穴４１は、固定具２０の外形と同様に、くさび形に形成されている。
【００４５】
さらに、上面Ｆ４１における第３穴４１の開口径Φ４１は、図３の固定具２０（第１支持部材）の底面Ｆ２２の外径Φ２２よりも大きい。従って、固定具２０の底面Ｆ２２を補助具４０の上面Ｆ４１側から第３穴４１へ挿入することができる。一方、底面Ｆ４２における第３穴４１の開口径Φ４２は、図３の固定具２０の上面Ｆ２１の外径Φ２１よりも小さい。これにより、固定具２０を第３穴４１へ挿入後さらに押し込むと、固定具２０は、補助具４０の第３穴４１からＤ２方向に脱落することなく、第３穴４１の内側面Ｆ４４から押圧される。これにより、スリット２５が狭まり、固定具２０はケーブル２を締め付けることができる。固定具２０が第３穴４１へ押し込まれるほど、固定具２０はケーブル２をより強固に押圧し、ケーブル２の支持力を増大させる。
【００４６】
尚、補助具４０における上面Ｆ４１または底面Ｆ４２に対する（あるいはＤ２方向に対する）内側面Ｆ４４の傾斜角度は、固定具２０における上面Ｆ２１または底面Ｆ２２に対する（あるいはＤ２方向に対する）側面Ｆ２３の傾斜角度とほぼ等しくてよい。これにより、補助具４０の第３穴４１の内側面Ｆ４４は、固定具２０を第３穴４１へ挿入したときに、固定具２０の側面Ｆ２３を略均等な力で押圧することができる。
【００４７】
さらに、補助具４０が固定具２０の側面Ｆ２３を略均等に押圧するために、Ｄ２方向に対する垂直断面において、第３穴４１の形状は、固定具２０の外形と略相似形であることが好ましい。例えば、第３穴４１の形状は、Ｄ２方向に対する垂直断面において略円形を有する。
【００４８】
さらに、補助具４０の上面Ｆ４１および底面Ｆ４２における外形は、Ｄ２方向から見たときに、例えば、略円形を有しており、互いに同心円となっている。上面Ｆ４１における補助具４０の外径Φ４８は、底面Ｆ４２における補助具４０の外径Φ４９よりも大きい。これにより、側面Ｆ４３は、上面Ｆ４１および底面Ｆ４２に対する垂直断面において、上面Ｆ４１および底面Ｆ４２に対してあるいはＤ２方向に対して傾斜している。即ち、補助具４０は、上面Ｆ４１から底面Ｆ４２へ向かって次第に細くなるように側面Ｆ４３に傾斜（テーパー）を有する。さらに換言すると、補助具４０の外形は、支持板３０の第２穴３１の形状と同様に、くさび形に形成されている。
【００４９】
また、図４に示す支持板３０の上面Ｆ３１における開口径Φ３１は、補助具４０の底面Ｆ４２の外径Φ４９よりも大きい。従って、補助具４０の底面Ｆ４２を支持板３０の上面Ｆ３１側から第２穴３１へ挿入することができる。一方、支持板３０の底面Ｆ３２における開口径Φ３２は、補助具４０の上面Ｆ４１の外径Φ４８よりも小さい。これにより、補助具４０は、支持板３０の第２穴３１からＤ２方向に脱落しない。これにより、補助具４０は、支持板３０と固定具２０との間のスペースを埋めることができる。
【００５０】
第２実施形態によれば、補助具４０が支持板３０の第２穴３１に挿入され、固定具２０が補助具４０の第３穴４１に挿入される。これにより補助具４０は、固定具２０と支持板３０の第２穴３１との間のスペースを調節するスペーサとして機能する。これにより、固定具２０が支持板３０の第２穴３１に対して小さすぎる場合であっても、補助具４０が第２穴３１と固定具２０との間のスペースを埋めることによって、固定具２０および支持板３０をケーブル支持具として用いることを可能にする。このように、補助具４０を用いても、本実施形態の効果は失われない。
【００５１】
（第３実施形態）
図９は、第３実施形態によるケーブル支持具の構成の一例を示す側面図である。図１０は、第３実施形態によるケーブル支持具の構成の一例を示す正面図である。第３実施形態によるケーブル支持具１００は、係止部材１３０と、支持具１４０と、固定具２０とを備えている。尚、固定具２０は、第１実施形態の固定具２０と同じ構成でよい。
【００５２】
係止部材１３０は、施設の壁面Ｆ２に沿って略鉛直方向（Ｄ２方向）に立て掛けるように設置されている。係止部材１３０は、略鉛直方向（Ｄ２方向）に設定された係止面Ｆ１３１を有し、その係止面Ｆ１３１に係止穴１３８を有する。係止穴１３８は、第２支持部材としての支持具１４０を係止可能であり、支持具１４０の脱落を抑制する。
【００５３】
第２支持部材としての支持具１４０は、図８（Ｂ）に示す補助具４０と同じ構成でよい。従って、支持具１４０は、係止部材１３０の係止穴１３８に係止可能な係止部４５を有する。支持具１４０は、係止部４５を係止部材１３０の係止穴１３８に差し込むことによって、係止部材１３０に対して固定され得る。尚、係止部４５と支持具１４０と間に介在する柄の長さは、任意でよい。様々な長さの柄を有する支持具１４０を予め準備しておくことによって、図９に示すように、ケーブル支持具１００は、ケーブルダクト１内の任意の位置でケーブル２を支持することができる。
【００５４】
支持具１４０は、図８（Ｂ）の補助具４０と同様の構成でよい。従って、支持具１４０は、固定具２０を第３穴４１に押し込むことによって、ケーブル２を支持することができる。ただし、支持具１４０は、補助具４０と異なり、スペーサとしての機能を有する必要は無い。従って、支持具１４０の外形および外径は、補助具４０のそれらと異なってもよい。
【００５５】
第３実施形態のように、縦型のケーブル支持具１００であっても、本実施形態の効果を得ることができる。第３実施形態によるケーブル支持具１００は、第１または第２実施形態によるケーブル支持具１０とともに組み合わせて使用してもよい。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１・・・ケーブルダクト、２・・・ケーブル、１０・・・ケーブル支持具、２０・・・固定具、２５・・・スリット、３０・・・支持板、４０・・・補助具、２１・・・第１穴、３１・・・第２穴、４１・・・第３穴、Ｆ２１・・・第１面、Ｆ２２・・・第２面、Ｆ３１・・・第３面、Ｆ３２・・・第４面、Ｆ４１・・・第５面、Ｆ４２・・・第６面、Ｆ２３・・・第１側面、Ｆ４３・・・第２側面
【図１】
2018007369.tif 000003
【図２】
2018007369.tif 000004
【図３】
2018007369.tif 000005
【図４】
2018007369.tif 000006
【図５】
2018007369.tif 000007
【図６】
2018007369.tif 000008
【図７】
2018007369.tif 000009
【図８（Ａ）】
2018007369.tif 000010
【図８（Ｂ）】
2018007369.tif 000011
【図９】
2018007369.tif 000012
【図１０】
2018007369.tif 000013